(57)【要約】【課題】  段差が有って滑り難いベッド・ストレッチャー間における被介護者の移動をスムーズにし、介護者の作業負担を軽減させる。【解決手段】  被介護者を表面に載せ、ベッド・ストレッチャー間において前記被介護者を移動させるために使用する介護支援具であって、前記ベッドと同程度の大きさで、略長方形の板状の外形状を成すと共に、前記ベッド・ストレッチャー間の段差を吸収するように撓む性質を備え、前記表面が、平滑であり、皺がなく、裏面には、滑り止め部材が配置されると共に、長手方向中央付近かつ短手方向の一方端部から他方端部に掛けて撓みの程度を小さくする短冊状の補強部材が複数整列して配置され、前記表面と前記裏面との間にはクッション材が配置される。【選択図】図１
2020010829.tif 000002
【特許請求の範囲】
【請求項１】
被介護者を表面に載せ、ベッド・ストレッチャー間において前記被介護者を移動させるために使用する介護支援具であって、
前記ベッドと同程度の大きさで、略長方形の板状の外形状を成すと共に、前記ベッド・ストレッチャー間の段差を吸収するように撓む性質を備え、
前記表面が、平滑であり、皺がなく、
裏面には、滑り止め部材が配置されると共に、長手方向中央付近かつ短手方向の一方端部から他方端部に掛けて撓みの程度を小さくする短冊状の補強部材が複数整列して配置され、
前記表面と前記裏面との間にはクッション材が配置されることを特徴とする介護支援具。
【請求項２】
長手方向の一方端部に手持ち穴を備え、
ロール状に丸めた後、前記手持ち穴にベルトを通し、丸めた状態を維持させることが可能であることを特徴とする請求項１に記載の介護支援具。
【発明の詳細な説明】
【技術分野】
【０００１】
ベッド・ストレッチャー間において被介護者を移動させる作業を支援する器具の技術に関する。
【背景技術】
【０００２】
近年、日本には高齢化の波が押し寄せ、高齢者の数が増えるに伴い、他人に介護される被介護者の数が増えている。
【０００３】
そのような背景下、被介護者を介護する者の作業は増える一方であるが、多少なりともその事態を改善させるべく、介護の現場を支援するための装置・器具に関する研究開発が行われている。例えば特許文献１では、自力で寝返りができない被介護者の床ずれ等の不具合を解消し、かつ、介護者の労力を軽減する寝返り補助具に関する技術が提案されている。
【先行技術文献】
【特許文献】
【０００４】
【特許文献１】特開２０１５−０１３０８６号公報
【発明の概要】
【発明が解決しようとする課題】
【０００５】
しかしながら、上記従来技術は、段差が有って滑り難いベッド・ストレッチャー間で被介護者を移動させようとするとき、介護従事者の作業負担を軽減させることができないという問題点がある。
【０００６】
そこで本発明では、上記問題点に鑑み、段差が有って滑り難いベッド・ストレッチャー間における被介護者の移動をスムーズにし、介護者の作業負担を軽減させる介護支援具を提供することを目的とする。
【課題を解決するための手段】
【０００７】
開示する介護支援具の一形態は、被介護者を表面に載せ、ベッド・ストレッチャー間において前記被介護者を移動させるために使用する介護支援具であって、前記ベッドと同程度の大きさで、略長方形の板状の外形状を成すと共に、前記ベッド・ストレッチャー間の段差を吸収するように撓む性質を備え、前記表面が、平滑であり、皺がなく、裏面には、滑り止め部材が配置されると共に、長手方向中央付近かつ短手方向の一方端部から他方端部に掛けて撓みの程度を小さくする短冊状の補強部材が複数整列して配置され、前記表面と前記裏面との間にはクッション材が配置されることを特徴とする。
【発明の効果】
【０００８】
開示する介護支援具は、段差が有って滑り難いベッド・ストレッチャー間における被介護者の移動をスムーズにし、介護者の作業負担を軽減させる。
【図面の簡単な説明】
【０００９】
【図１】本実施の形態に係る介護支援具の断面図である。
【図２】本実施の形態に係る介護支援具の平面図である。
【図３】本実施の形態に係る介護支援具の底面図である。
【図４】本実施の形態に係る介護支援具をロール状にした図（その１）である。
【図５】本実施の形態に係る介護支援具をロール状にした図（その２）である。
【発明を実施するための形態】
【００１０】
図面を参照しながら、本発明を実施するための形態について説明する。
（本実施の形態に係る介護支援具の構造）
【００１１】
図１乃至５を用いて、本実施の形態に係る介護支援具１の構造について説明する。図１は、介護支援具１の断面図であり、図２及び３は、介護支援具１の平面図及び底面図である。
【００１２】
介護支援具１は、介護者１６が、被介護者１８を表面２に載せ、ベッド２０・ストレッチャー２２間において被介護者１８を移動させるために使用する器具である。図１乃至３で示すように、介護支援具１は、表面２及び裏面４を備え、被介護者１８が横になるベッド２０（ストレッチャー２２）と同程度の大きさであり、略長方形の板状の外形状を成す。
【００１３】
介護支援具１は、被介護者１８を移動させるベッド２０・ストレッチャー２２間の段差を吸収するように撓む性質を備える。ベッド２０・ストレッチャー２２間の段差を吸収することによって、被介護者１８を移動させる介護者１６の作業が容易になる。
【００１４】
図１及び２で示すように、介護支援具１の表面２は、平滑であり、皺が無い。つまり、介護支援具１は、表面２が滑り易く、布のように皺が出来ないので、ベッド２０・ストレッチャー２２間における被介護者１８の移動が容易となる。表面２の材質は、フッ素シート材などであることが好適であるが、その他の材質でも良い。
【００１５】
図１及び２で示すように、介護支援具１は、滑り止め部材６、補強部材８、クッション材１０、手持ち穴１２、ベルト１４を有する。滑り止め部材６は、介護支援具１の裏面４に配置され、ベッド２０・ストレッチャー２２上で介護支援具１を滑り難くするための部位である。この構造は、介護支援具１の使用時の利便性向上に資するものである。
【００１６】
補強部材８は、介護支援具１の裏面４において、長手方向中央付近かつ短手方向の一方端部から他方端部に掛けて、短冊状のものが複数整列して配置される。補強部材８は、介護支援具１の撓みの程度を小さくするための部位である。介護支援具１は、被介護者１８のお尻等体重が掛かり易く、介護支援具１の形状が変形し易い（撓みの程度が大きくなり易い）部位を補強することによって、過度に曲がり難くなり、被介護者１８の移動の容易性を向上させる。
クッション材１０は、表面２と裏面４との間に配置されるものであり、被介護者１８の使用感の向上に資するためのものである。
手持ち穴１２は、介護支援具１の長手方向の一方端部に備わる表裏２、４を貫通する孔である。
【００１７】
図４及び５で示すように、介護支援具１は、ロール状に丸めることが可能であり、ロール状に丸めた後、手持ち穴１２にベルト１４を通し、丸めた状態を維持させることが可能である。この構造によって介護支援具１は、収納時の省スペース性に優れ、可搬性が良い。
【００１８】
上記のような構造によって、介護支援具１は、段差が有って滑り難いベッド・ストレッチャー間における被介護者１８の移動をスムーズにし、介護者１６の作業負担を軽減させる。
（本実施の形態に係る介護支援具の使用方法）
【００１９】
図１乃至５を用いて、介護支援具１の使用方法について説明する。介護者１６は、被介護者１８に半身の姿勢を取らせるなどした後、空いた空間に介護支援具１を挿入し、介護支援具１をベッド２０・ストレッチャー２２間に敷く（載置させる）。そのとき、介護支援具１の長手方向とベッド２０及びストレッチャー２２の長手方向とが一致するように、介護支援具１を配置することが好適である。
【００２０】
そして介護者１６は、介護支援具１の表面２上に被介護者１８を直接寝かせて、被介護者１８の着衣を掴むなどして、被介護者１８をベッド２０からストレッチャー２２へ、又はストレッチャー２２からベッド２０へ滑らせて移動させる。
【００２１】
また介護者１６は、介護支援具１上にバスタオル等の布類を引き、その布類上に被介護者１８を寝かせた後、被介護者２８の下に配置される布類を引っ張ることによって、被介護者１８（布類）をベッド２０からストレッチャー２２へ、又はストレッチャー２２からベッド２０へ滑らせて移動させるようにしても良い。
【００２２】
上記のように使用することによって、介護支援具１は、段差が有って滑り難いベッド・ストレッチャー間における被介護者１８の移動をスムーズにし、介護者１６の作業負担を軽減させる。
【００２３】
以上、本発明の実施の形態について詳述したが、本発明は係る特定の実施の形態に限定されるものではなく、特許請求の範囲に記載された本発明の要旨の範囲において、種々の変形・変更が可能である。
【符号の説明】
【００２４】
１    介護支援具
２    介護支援具の表面
４    介護支援具の裏面
６    滑り止め部材
８    補強部材
１０  クッション材
１２  手持ち穴
１４  ベルト
１６  介護者
１８  被介護者
２０  ベッド
２２  ストレッチャー
【図１】
2020010829.tif 000003
【図２】
2020010829.tif 000004
【図３】
2020010829.tif 000005
【図４】
2020010829.tif 000006
【図５】
2020010829.tif 000007